(57)【要約】【課題】  帯域通信に対応しつつ、阻止域での減衰量を確保できるようにする。【解決手段】  与干渉源無線システム１５１にて通信が行われると、与干渉源無線システム１５１における周波数ホッピングに関する情報を制御部１０２、１３１の双方に有線にて送り、与干渉源無線システム１５１から送られたホッピングタイミングに従って、ＰＬＬ制御データをＰＬＬ回路１０４、１２４に供給し、与干渉源無線システム１５１のホッピングシーケンスに従って搬送周波数をホップさせながら、ベースバンド部１０３から送られた信号を搬送波に重畳させるとともに、与干渉源無線システム１５１のホッピングシーケンスに従って検波周波数をホップさせながら、受信信号のダウンコンバートを行う。【選択図】      図４
2006050375.tif 000002
【特許請求の範囲】
【請求項１】
所定のホッピングシーケンスに従って搬送周波数をホップさせながら無線通信を行う無線通信部と、
前記無線通信部にて行われる周波数ホッピングに送信用周波数を追従させながら無線送信を行う無線送信部と、
前記無線通信部にて行われる周波数ホッピングに検波用周波数を追従させながら無線受信を行う無線受信部と、
前記無線通信部における周波数ホッピングに関する情報を前記無線送信部および前記無線受信部の双方に有線にて供給する有線部とを備えることを特徴とする無線通信端末。
【請求項２】
前記無線送信部は、
第１局発クロックを生成する第１局部発振器と、
前記有線にて供給された周波数ホッピングに関する情報に基づいて、前記第１局発クロックの周波数を制御する第１制御部と、
前記第１局発クロックをベースバンド信号に混合することにより、前記無線通信部にて行われる周波数ホッピングに送信用周波数を追従させる第１混合器とを備え、
前記無線受信部は、
第２局発クロックを生成する第２局部発振器と、
前記有線にて供給された周波数ホッピングに関する情報に基づいて、前記第２局発クロックの周波数を制御する第２制御部と、
前記第２局発クロックを受信信号に混合することにより、前記無線通信部にて行われる周波数ホッピングに検波用周波数を追従させる第２混合器と、
前記第２混合器にてダウンコンバートされた前記無線通信による干渉波を減衰させるノッチフィルタとを備えることを特徴とする請求項１記載の無線通信端末。
【請求項３】
前記無線送信部は、
局発クロックを生成する局部発振器と、
前記無線通信部におけるホッピング周波数の信号を前記局発クロックと混合することにより、前記無線通信部にて行われる周波数ホッピングに前記局発クロックを追従させる周波数変換器と、
前記周波数変換器にて周波数変換された信号をベースバンド信号に混合することにより、前記無線通信部にて行われる周波数ホッピングに送信用周波数を追従させる第１混合器とを備え、
前記無線受信部は、
前記周波数変換器にて周波数変換された信号を受信信号に混合することにより、前記無線通信部にて行われる周波数ホッピングに検波用周波数を追従させる第２混合器と、
前記第２混合器にてダウンコンバートされた前記無線通信による干渉波を減衰させるノッチフィルタとを備えることを特徴とする請求項１記載の無線通信端末。
【請求項４】
前記無線送信部は、
前記周波数変換器にて周波数変換された信号を分周する分周器と、
前記分周器にて分周された信号を元の周波数に変換する第１逓倍器とをさらに備え、
前記無線受信部は、
前記分周器にて分周された信号を元の周波数に変換する第２逓倍器をさらに備えることを特徴とする請求項３記載の無線通信端末。
【請求項５】
前記無線送信部は、
第１局発クロックを生成する第１局部発振器と、
前記無線通信部におけるホッピング周波数の信号を前記第１局発クロックと混合することにより、前記無線通信部にて行われる周波数ホッピングに前記第１局発クロックを追従させる第１周波数変換器と、
前記第１周波数変換器にて周波数変換された信号をベースバンド信号に混合することにより、前記無線通信部にて行われる周波数ホッピングに送信用周波数を追従させる第１混合器とを備え、
前記無線受信部は、
第２局発クロックを生成する第２局部発振器と、
前記無線通信部におけるホッピング周波数の信号を前記第２局発クロックと混合することにより、前記無線通信部にて行われる周波数ホッピングに前記第２局発クロックを追従させる第２周波数変換器と、
前記第２周波数変換器にて周波数変換された信号を受信信号に混合することにより、前記無線通信部にて行われる周波数ホッピングに検波用周波数を追従させる第２混合器と、
前記第２混合器にてダウンコンバートされた前記無線通信による干渉波を減衰させるノッチフィルタとを備えることを特徴とする請求項１記載の無線通信端末。
【請求項６】
第１筐体部と、
前記第１筐体部に連結された第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、所定のホッピングシーケンスに従って搬送周波数をホップさせながら外部無線通信を行う外部無線通信部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、前記外部無線通信部にて行われる周波数ホッピングに送信用周波数を追従させながら内部無線通信を行う第１の内部無線通信部と、
前記第２筐体部に搭載され、前記外部無線通信部にて行われる周波数ホッピングに送信用周波数を追従させながら内部無線通信を行う第２の内部無線通信部と、
前記外部無線通信部における周波数ホッピングに関する情報を前記第１および第２の内部無線通信部の双方に有線にて供給する有線部とを備えることを特徴とする無線通信端末。
【請求項７】
他の無線通信で使用されるホッピング周波数に送信用周波数および検波用周波数を追従させながら内部無線通信の制御を行う内部無線通信制御方法において、
前記他の無線通信で使用されるホッピング周波数に関する情報が有線にて送られることを特徴とする内部無線通信制御方法。
【発明の詳細な説明】
【技術分野】
【０００１】
本発明は無線通信端末および内部無線通信制御方法に関し、特に、同一筐体内部での無線システムに適用して好適なものである。
【背景技術】
【０００２】
近年の携帯情報端末は、小型化、高機能化および高性能化が進行し、携帯情報端末内で扱われる転送データは増大する一方で、電子部品などが配置されるスペースは狭くなっている。このため、高速で大量のデータを伝送するための長い配線を狭い筐体内で引き回すことが困難になってきており、同一筐体内部でのデータ転送を無線にて行う方法が提案されている。
【０００３】
この同一筐体内部での無線システムでは、コスト、消費電力および与干渉などの点から送信出力を最小限に抑えることが望まれる。また、Ｂｌｕｅｔｏｏｔｈなどの他の無線システムが同一筐体に共存する場合、その無線システムからの干渉を考慮しなければならない。
ここで、Ｂｌｕｅｔｏｏｔｈなどの無線システムでは、特許文献１に開示されているように、スペクトラム拡散無線通信技術として周波数ホッピング方式が用いられている。この周波数ホッピング方式では、ホッピングパターンを適切に選択することによって、限られた周波数帯域の中に多くの独立した通信チャネルを確保することができる。
【０００４】
一方、同一筐体内における内部無線通信では微弱無線規格を採用することが、法規制の制約やコストなどの面から求められるが、その場合の送信出力はＥＩＲＰで約−６５ｄＢｍ以下でなければならない。一方、図１０（ａ）に示すように、Ｂｌｕｅｔｏｏｔｈの場合の送信出力はＣｌａｓｓ１の場合で＋２０ｄＢｍとなり、両者の差は８５ｄＢにも達する。また、有線バス接続を無線で置き換えようとする場合、必要となるデータ通信速度は数１００Ｍｂｐｓにもなり、その伝送に必要な無線帯域幅は一般に通信速度の数倍が必要となる。
【０００５】
ここで、特許文献１には、簡単な回路で干渉波が除去できるようにするため、干渉源となる無線システムと異なる周波数帯域を割り当て、バンドパスフィルタで所望の帯域のみを通過させる方法が開示されている。
また、複数の無線システムが共存する場合の干渉低減方法として、バンドパスフィルタで干渉波を抑制する方法の他、バンドパスフィルタにノッチフィルタを組み合わせることで、干渉波を低減させる方法、指向性アンテナで分離する方法、磁気導体などで分離する方法、キャリアセンス等で周波数の使用状況を監視し空いている時間もしくは周波数を使用することで、他の無線システムとの干渉を避ける方法などがある。
【特許文献１】特開２００２−３１４４６１号公報
【特許文献２】特開２００１−３３２９０７号公報
【発明の開示】
【発明が解決しようとする課題】
【０００６】
しかしながら、同一筐体内における内部無線通信では帯域幅が広帯域を要するとともに、干渉源との出力信号レベル差が８５ｄＢにも達する。このため、単純にバンドパスフィルタを使用する方法では、図１０（ｂ）に示すように、阻止域での減衰量を十分確保することが難しく、干渉を十分抑えることができないという問題があった。
また、指向性アンテナを使用する方法は、指向性アンテナは小型化が難しいため、携帯電話のような小型な携帯機器では不向きである。同様に、磁気導体等を使用して分離する方法は、サイズおよびコストの面で、小型携帯機器での使用は難しい。
【０００７】
さらに、キャリアセンス等を利用して開き周波数を使用する方法は、ほぼ同一の周波数帯域を使用する狭帯域通信同士の干渉低減には有効だが、広帯域通信への干渉においては、先に述べたようにバンドパスフィルタの阻止域減衰量が不十分であるため、たとえ異なる周波数を使用していても干渉を十分抑えることは難しい。また、キャリアセンス等を利用して空き時間を使用する方法は、短い通信時間で所望の通信スループットを得るために、より通信帯域幅を広げる必要が生じてしまう。
【０００８】
また、バンドパスフィルタとノッチフィルタを組み合わせる方法は他の方法に比べ有望であるが、与干渉源となる無線システムの帯域幅が広帯域な場合には、図１０（ｃ）に示すように、阻止域での減衰量を十分確保することが難しく、８５ｄＢ以上という大きな阻止域減衰を確保できないという問題があった。
そこで、本発明の目的は、広帯域通信に対応しつつ、阻止域での減衰量を確保することが可能な無線通信端末および内部無線通信制御方法を提供することである。
【課題を解決するための手段】
【０００９】
上述した課題を解決するために、本発明の一態様に係る無線通信端末によれば、所定のホッピングシーケンスに従って搬送周波数をホップさせながら無線通信を行う無線通信部と、前記無線通信部にて行われる周波数ホッピングに送信用周波数を追従させながら無線送信を行う無線送信部と、前記無線通信部にて行われる周波数ホッピングに検波用周波数を追従させながら無線受信を行う無線受信部と、前記無線通信部における周波数ホッピングに関する情報を前記無線送信部および前記無線受信部の双方に有線にて供給する有線部とを備えることを特徴とする。
【００１０】
これにより、無線通信部から取得した周波数ホッピング情報を無線送信部および無線受信部の双方で共有することが可能となり、無線通信部の周波数ホッピングの追従しながら、無線送信部と無線受信部との間で通信を行うことができる。このため、無線通信部を介して行われる通信と、無線送信部と無線受信部との間で行われる通信との周波数偏差を一定に保つことが可能となり、無線通信部を介して行われる通信を見かけ上単なる狭帯域通信と見なすことができる。従って、無線送信部と無線受信部との間で行われる通信から干渉を除去するための阻止域幅を低減することが可能となり、広帯域通信に対応しつつ、急峻な阻止域特性を得ることができる。
【００１１】
また、本発明の一態様に係る無線通信端末によれば、前記無線送信部は、第１局発クロックを生成する第１局部発振器と、前記有線にて供給された周波数ホッピングに関する情報に基づいて、前記第１局発クロックの周波数を制御する第１制御部と、前記第１局発クロックをベースバンド信号に混合することにより、前記無線通信部にて行われる周波数ホッピングに送信用周波数を追従させる第１混合器とを備え、前記無線受信部は、第２局発クロックを生成する第２局部発振器と、前記有線にて供給された周波数ホッピングに関する情報に基づいて、前記第２局発クロックの周波数を制御する第２制御部と、前記第２局発クロックを受信信号に混合することにより、前記無線通信部にて行われる周波数ホッピングに検波用周波数を追従させる第２混合器と、前記第２混合器にてダウンコンバートされた前記無線通信による干渉波を減衰させるノッチフィルタとを備えることを特徴とする。
【００１２】
これにより、無線通信部にて行われる周波数ホッピングに関する情報を無線送信部および無線受信部の双方で共有することが可能となるとともに、周波数ホッピング動作を無線送信部および無線受信部にて個別に行うことが可能となる。このため、有線にて送ることが必要な情報量を低減させることが可能としつつ、急峻な阻止域特性を得ることが可能となるとともに、ホッピング切り替えタイミングでの遅延をなくすことが可能となり、通信スループットの低下を抑制しつつ、無線通信端末の構成の簡易化を図ることができる。
【００１３】
また、本発明の一態様に係る無線通信端末によれば、前記無線送信部は、局発クロックを生成する局部発振器と、前記無線通信部におけるホッピング周波数の信号を前記局発クロックと混合することにより、前記無線通信部にて行われる周波数ホッピングに前記局発クロックを追従させる周波数変換器と、前記周波数変換器にて周波数変換された信号をベースバンド信号に混合することにより、前記無線通信部にて行われる周波数ホッピングに送信用周波数を追従させる第１混合器とを備え、前記無線受信部は、前記周波数変換器にて周波数変換された信号を受信信号に混合することにより、前記無線通信部にて行われる周波数ホッピングに検波用周波数を追従させる第２混合器と、前記第２混合器にてダウンコンバートされた前記無線通信による干渉波を減衰させるノッチフィルタとを備えることを特徴とする。
【００１４】
これにより、無線通信部におけるホッピング周波数に基づいて、周波数ホッピング動作を無線送信部および無線受信部にて行わせることが可能となる。このため、無線通信端末の構成の簡易化を図りつつ、無線送信部と無線受信部との間で行われる通信の阻止域幅を低減することが可能となる。
また、本発明の一態様に係る無線通信端末によれば、前記無線送信部は、前記周波数変換器にて周波数変換された信号を分周する分周器と、前記分周器にて分周された信号を元の周波数に変換する第１逓倍器とをさらに備え、前記無線受信部は、前記分周器にて分周された信号を元の周波数に変換する第２逓倍器をさらに備えることを特徴とする。
【００１５】
これにより、無線通信部におけるホッピング周波数を無線送信部および無線受信部の双方で共有することが可能となるとともに、無線送信部と無線受信部との間で有線にて伝送される信号の周波数を低下させることができる。このため、より簡易な有線伝送線路を用いることを可能としつつ、急峻な阻止域特性を得ることが可能となるとともに、ホッピング切り替えタイミングでの遅延を低減させることが可能となり、通信スループットの低下を抑制しつつ、無線通信端末の構成の簡易化を図ることができる。
【００１６】
また、本発明の一態様に係る無線通信端末によれば、前記無線送信部は、第１局発クロックを生成する第１局部発振器と、前記無線通信部におけるホッピング周波数の信号を前記第１局発クロックと混合することにより、前記無線通信部にて行われる周波数ホッピングに前記第１局発クロックを追従させる第１周波数変換器と、前記第１周波数変換器にて周波数変換された信号をベースバンド信号に混合することにより、前記無線通信部にて行われる周波数ホッピングに送信用周波数を追従させる第１混合器とを備え、前記無線受信部は、第２局発クロックを生成する第２局部発振器と、前記無線通信部におけるホッピング周波数の信号を前記第２局発クロックと混合することにより、前記無線通信部にて行われる周波数ホッピングに前記第２局発クロックを追従させる第２周波数変換器と、前記第２周波数変換器にて周波数変換された信号を受信信号に混合することにより、前記無線通信部にて行われる周波数ホッピングに検波用周波数を追従させる第２混合器と、前記第２混合器にてダウンコンバートされた前記無線通信による干渉波を減衰させるノッチフィルタとを備えることを特徴とする。
【００１７】
これにより、無線通信部におけるホッピング周波数を無線送信部および無線受信部に有線で送ってからアップコンバートを行うことが可能となり、無線送信部と無線受信部との間で有線で伝送される信号の周波数を低下させることができる。このため、より簡易な有線伝送線路を用いることを可能としつつ、急峻な阻止域特性を得ることが可能となるとともに、ホッピング切り替えタイミングでの遅延を低減させることが可能となり、通信スループットの低下を抑制しつつ、無線通信端末の構成の簡易化を図ることができる。
【００１８】
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、所定のホッピングシーケンスに従って搬送周波数をホップさせながら外部無線通信を行う外部無線通信部と、前記第２筐体部に搭載された表示部と、前記第１筐体部に搭載された第１の内部無線通信用アンテナと、前記第２筐体部に搭載された第２の内部無線通信用アンテナと、前記第１筐体部に搭載され、前記外部無線通信部にて行われる周波数ホッピングに送信用周波数を追従させながら内部無線通信を行う第１の内部無線通信部と、前記第２筐体部に搭載され、前記外部無線通信部にて行われる周波数ホッピングに送信用周波数を追従させながら内部無線通信を行う第２の内部無線通信部と、前記外部無線通信部における周波数ホッピングに関する情報を前記第１および第２の内部無線通信部の双方に有線にて供給する有線部とを備えることを特徴とする。
【００１９】
これにより、外部無線通信と内部無線通信との周波数偏差を一定に保つことが可能となり、外部無線通信を見かけ上単なる狭帯域通信と見なすことができる。このため、外部無線通信の阻止域幅を低減することが可能となり、広帯域通信に対応しつつ、急峻な阻止域特性を得ることができる。この結果、内部無線通信の周波数帯域が広帯域化した場合においても、外部無線通信と内部無線通信との間の干渉を抑制しつつ、無線通信端末内でのデータ伝送を内部無線にて安定して行うことが可能となり、無線通信端末の小型薄型化および高信頼性化を図ることが可能となるとともに、無線通信端末の携帯性を損なうことなく、無線通信端末の大画面化および多機能化を図ることができる。
【００２０】
また、本発明の一態様に係る内部無線通信制御方法によれば、他の無線通信で使用されるホッピング周波数に送信用周波数および検波用周波数を追従させながら内部無線通信の制御を行う内部無線通信制御方法において、前記他の無線通信で使用されるホッピング周波数に関する情報が有線にて送られることを特徴とする。
これにより、他の無線通信と内部無線通信との周波数偏差を一定に保つことが可能となり、他の通信を見かけ上単なる狭帯域通信と見なすことができる。このため、内部無線通信の阻止域幅を低減することが可能となり、広帯域通信に対応しつつ、急峻な阻止域特性を得ることができる。
【発明を実施するための最良の形態】
【００２１】
以下、本発明の実施形態に係る無線通信端末について図面を参照しながら説明する。
図１は、本発明の無線通信制御方法が適用されるクラムシェル型携帯電話を開いたときの状態を示す斜視図、図２は、本発明の無線通信制御方法が適用されるクラムシェル型携帯電話を閉じたときの状態を示す斜視図である。
図１および図２において、第１筐体部１の表面には、操作ボタン４が配置されるとともに、第１筐体部１の下端にはマイク５が設けられ、第１筐体部１の上端には外部無線通信用アンテナ６が取り付けられている。また、第２筐体部２の表面には、表示体８が設けられるとともに、第２筐体部２の上端にはスピーカ９が設けられている。また、第２筐体部２の裏面には、表示体１１および撮像素子１２が設けられている。なお、表示体８、１１としては、例えば、液晶表示パネル、有機ＥＬパネルまたはプラズマディスプレイパネルなどを用いることができる。また、撮像素子１２としては、ＣＣＤまたはＣＭＯＳセンサなどを用いることができる。また、第１筐体部１および第２筐体部２には、第１筐体部１と第２筐体部２との間で内部無線通信を行う内部無線通信用アンテナ７、１０がそれぞれ設けられている。
【００２２】
そして、第１筐体部１および第２筐体部２はヒンジ３を介して連結され、第２筐体部２をヒンジ３を支点として回転させることにより、第２筐体部２を第１筐体部１上に折り畳むことができる。そして、第２筐体部２を第１筐体部１上に閉じることにより、操作ボタン４を第２筐体部２にて保護することができ、携帯電話を持ち歩く時に操作ボタン４が誤って操作されることを防止することができる。また、第２筐体部２を第１筐体部１から開くことにより、表示体８を見ながら操作ボタン４を操作したり、スピーカ９およびマイク５を使いながら通話したり、操作ボタン４を操作しながら撮像を行ったりすることができる。
【００２３】
ここで、クラムシェル構造を用いることにより、第２筐体部２のほぼ一面全体に表示体８を配置することができ、携帯電話の携帯性を損なうことなく、表示体８のサイズを拡大させることを可能として、視認性を向上させることができる。
また、内部無線通信用アンテナ７、１０を第１筐体部１および第２筐体部２にそれぞれ設けることにより、内部無線通信用アンテナ７、１０を用いた内部無線通信にて第１筐体部１と第２筐体部２との間のデータ伝送を行うことができる。例えば、外部無線通信用アンテナ６を介して第１筐体部１に取り込まれた画像データや音声データを、内部無線通信用アンテナ７、１０を用いた内部無線通信にて第２筐体部２に送り、表示体８に画像を表示させたり、スピーカ９から音声を出力させたりすることができる。また、撮像素子１２にて撮像された撮像データを、内部無線通信用アンテナ７、１０を用いた内部無線通信にて第２筐体部２から第１筐体部１に送り、外部無線通信用アンテナ６を介して外部に送出させることができる。
【００２４】
これにより、第１筐体部１と第２筐体部２との間のデータ伝送を有線で行う必要がなくなり、多ピン化されたフレキシブル配線基板をヒンジ３に通す必要がなくなる。このため、ヒンジ３の構造の複雑化を抑制することが可能となるとともに、実装工程の煩雑化を防止することが可能となり、コストアップを抑制しつつ、携帯電話の小型薄型化および高信頼性化を図ることが可能となるとともに、携帯電話の携帯性を損なうことなく、携帯電話の大画面化および多機能化を図ることができる。
【００２５】
図３は、本発明の無線通信制御方法が適用される回転式携帯電話の外観を示す斜視図である。
図３において、第１筐体部２１の表面には、操作ボタン２４が配置されるとともに、第１筐体部２１の下端にはマイク２５が設けられ、第１筐体部２１の上端には外部無線通信用アンテナ２６が取り付けられている。また、第２筐体部２２の表面には、表示体２８が設けられるとともに、第２筐体部２２の上端にはスピーカ２９が設けられている。また、第１筐体部２１および第２筐体部２２には、第１筐体部２１と第２筐体部２２との間で内部無線通信を行う内部無線通信用アンテナ２７、３０がそれぞれ設けられている。
【００２６】
そして、第１筐体部２１および第２筐体部２２はヒンジ２３を介して連結され、第２筐体部２２をヒンジ２３を支点として水平に回転させることにより、第２筐体部２２を第１筐体部２１上に重ねて配置したり、第２筐体部２２を第１筐体部２１からずらしたりすることができる。そして、第２筐体部２２を第１筐体部２１上に重ねて配置することにより、操作ボタン２４を第２筐体部２２にて保護することができ、携帯電話を持ち歩く時に操作ボタン２４が誤って操作させることを防止することができる。また、第２筐体部２２を水平に回転させて、第２筐体部２２を第１筐体部２１からずらすことにより、表示体２８を見ながら操作ボタン２４を操作したり、スピーカ２９およびマイク２５を使いながら通話したりすることができる。
【００２７】
ここで、内部無線通信用アンテナ２７、３０を第１筐体部２１および第２筐体部２２にそれぞれ設けることにより、内部無線通信用アンテナ２７、３０を用いた内部無線通信にて第１筐体部２１と第２筐体部２２との間のデータ伝送を行うことができる。例えば、外部無線通信用アンテナ２６を介して第１筐体部２１に取り込まれた画像データや音声データを、内部無線通信用アンテナ２７、３０を用いた内部無線通信にて第２筐体部２２に送り、表示体２８に画像を表示させたり、スピーカ２９から音声を出力させたりすることができる。
【００２８】
これにより、多ピン化されたフレキシブル配線基板をヒンジ２３に通す必要がなくなり、ヒンジ２３の構造の複雑化を抑制することが可能となるとともに、実装工程の煩雑化を防止することが可能となる。このため、コストアップを抑制しつつ、携帯電話の小型薄型化および高信頼性化を図ることが可能となるとともに、携帯電話の携帯性を損なうことなく、携帯電話の大画面化および多機能化を図ることができる。
【００２９】
なお、上述した実施形態では、携帯電話を例にとって説明したが、ビデオカメラ、ＰＤＡ（Ｐｅｒｓｏｎａｌ  Ｄｉｇｉｔａｌ  Ａｓｓｉｓｔａｎｃｅ）、ノート型パーソナルコンピュータなどに適用することもできる。
図４は、本発明の第１実施形態に係る無線通信端末の概略構成を示すブロック図である。
【００３０】
図４において、第１筐体部Ｋ１１には、表示パネル１３２を駆動するための表示用信号および表示用信号に同期した画像信号を生成する表示コントローラ１０１、ベースバンド部１０３やＰＬＬ回路１０４などの制御を行う制御部１０２、ベースバンド信号処理を行うベースバンド部１０３、制御部１０２から送られたＰＬＬ制御データに基づいて局発クロックを生成するＰＬＬ回路１０４、ベースバンド部１０３から出力されたベースバンド信号にＰＬＬ回路１０４から出力された局発クロックを混合する混合器１０５および内部無線通信用電波の送信を第１筐体部Ｋ１１側で行う内部無線通信用アンテナ１０６が設けられている。
【００３１】
また、第１筐体部Ｋ１１には、与干渉源無線システム１５１および外部無線通信用電波の送信を行う外部無線通信用アンテナ１５２が設けられている。なお、与干渉源無線システム１５１は、周波数ホッピング方式によるスペクトラム拡散無線通信を行うことができ、与干渉源無線システム１５１の具体例としては、Ｂｌｕｅｔｏｏｔｈなどの無線システムを挙げることができる。
【００３２】
また、第２筐体部Ｋ１２には、内部無線通信用電波の受信を第２筐体部Ｋ１２側で行う内部無線通信用アンテナ１２１、内部無線通信用アンテナ１２１にて受信された受信信号に含まれる不要な周波数成分を減衰させるバンドパスフィルタ１２２、ＰＬＬ回路１２４や表示パネル１２３などの制御を行う制御部１３１、制御部１３１から送られたＰＬＬ制御データに基づいて局発クロックを生成するＰＬＬ回路１２４、バンドパスフィルタ１２２から出力された受信信号にＰＬＬ回路１２４から出力された局発クロックを混合する混合器１２３、混合器１２３からの出力信号に含まれる不要な周波数成分を減衰させるバンドパスフィルタ１２５、混合器１２３にてダウンコンバートされた与干渉源無線システム１５１による干渉波を減衰させるノッチフィルタ１２６、２次ダウンコンバートを行うための局発クロックを生成する局部発振器１２８、ノッチフィルタ１２６から出力された信号に局部発振器１２８から出力された局発クロックを混合する混合器１２７、混合器１２７からの出力信号に含まれる不要な高周波成分を減衰させるローパスフィルタ１２９、ベースバンド信号処理を行うベースバンド部１３０および表示データの表示を行う表示パネル１３２が設けられている。なお、表示パネル１３２としては、例えば、液晶表示素子または有機ＥＬ素子などを用いることができる。
【００３３】
そして、与干渉源無線システム１５１は、制御部１０２、１３１の双方と有線にて接続されている。そして、与干渉源無線システム１５１は、与干渉源無線システム１５１で行われる周波数ホッピングに関する情報を制御部１０２、１３１の双方に有線にて供給することができる。なお、周波数ホッピングに関する情報としては、ホッピングタイミングやホッピング周波数ｆFHなどの制御情報を挙げることができる。
【００３４】
また、第１筐体部Ｋ１１および第２筐体部Ｋ１２は、第１筐体部Ｋ１１と第２筐体部Ｋ１２との間の位置関係を変えられるようにヒンジＨ１１を介して連結されている。なお、第１筐体部Ｋ１１と第２筐体部Ｋ１２との間の位置関係を変える方法としては、第２筐体部２を第１筐体部１上に折り畳めるようにする方法の他、第２筐体部２を第１筐体部１上で水平に回転できるようにする方法あるいは第２筐体部２を第１筐体部１上で左右または前後にスライドできるようにする方法などを挙げることができる。
【００３５】
そして、与干渉源無線システム１５１にて通信が行われると、与干渉源無線システム１５１における周波数ホッピングに関する情報が制御部１０２、１３１の双方に有線にて送られる。そして、制御部１０２、１３１は、周波数ホッピングに関する情報を受け取ると、与干渉源無線システム１５１から送られたホッピングタイミングに従って、ＰＬＬ制御データをＰＬＬ回路１０４、１２４に供給する。ここで、ＰＬＬ制御データとしては、与干渉源無線システム１５１で行われる周波数ホッピングのホッピング周波数ｆFHなどを挙げることができる。
【００３６】
そして、ＰＬＬ回路１０４、１２４は、内部通信の搬送中心周波数をｆTXとすると、搬送中心周波数ｆTXにホッピング周波数ｆFHを加算した（ｆTX＋ｆFH）の周波数の局発クロックをそれぞれ生成し、混合器１０５、１２３にそれぞれ出力する。
また、制御部１０２は、表示パネル１３２に表示データを表示させる場合、ベースバンド部１０３を介し、表示パネル１３２を駆動するための表示用信号および表示用信号に同期した画像信号を混合器１０５に出力する。
【００３７】
そして、混合器１０５は、ベースバンド部１０３から送られた信号と、ＰＬＬ回路１０４から供給された局発クロックとを混合し、与干渉源無線システム１５１のホッピングシーケンスに従って搬送周波数をホップさせながら、ベースバンド部１０３から送られた信号を搬送波に重畳させる。そして、ベースバンド部１０３から送られた信号が搬送波に重畳されると、内部無線通信用アンテナ１０４を介して送出される。そして、内部無線通信用アンテナ１０４を介して送信データが送信されると、その送信データが内部無線通信用アンテナ１２２を介して受信される。
【００３８】
図５（ａ）は、内部無線通信用アンテナ１２２を介して受信される受信信号の信号強度を示す図である。
図５（ａ）において、与干渉源無線システム１５１の搬送中心周波数をｆCとし、ホッピング周波数ｆFHで搬送中心周波数ｆCをホップさせながら外部無線信無線が行われるものとすると、（ｆC＋ｆFH）の周波数の干渉波が内部無線通信用アンテナ１２２を介して受信される。また、内部無線通信用アンテナ１２２では、外部無線信無線による（ｆC＋ｆFH）の周波数の干渉波とともに、内部無線信無線による（ｆTX＋ｆFH）の周波数の受信信号が受信される。ここで、内部無線通信として微弱無線規格を採用すると、その送信出力はＥＩＲＰで約−６５ｄＢｍ以下となる。一方、与干渉源無線システム１５１がＢｌｕｅｔｏｏｔｈの場合、その送信出力はＣｌａｓｓ１の場合で＋２０ｄＢｍとなり、両者の差は８５ｄＢにも達する。また、内部無線通信におけるデータ通信速度が数１００Ｍｂｐｓであるとすると、内部無線通信における無線帯域幅は外部無線通信における無線帯域幅の数倍が必要となる。
【００３９】
そして、内部無線通信用アンテナ１２２を介して受信された受信信号は、バンドパスフィルタ１２２にて不要な周波数成分が減衰された後、混合器１２３に送られる。
そして、混合器１２３は、バンドパスフィルタ１２２から送られた受信信号と、ＰＬＬ回路１２４から供給された局発クロックとを混合し、与干渉源無線システム１５１のホッピングシーケンスに従って検波周波数をホップさせながら、受信信号のダウンコンバートを行う。ここで、干渉源無線システム１５１のホッピングシーケンスに従って検波周波数をホップさせながら、受信信号のダウンコンバートを行うことにより、図５（ｂ）に示すように、周波数ホッピング状態から周波数固定状態に干渉波を移行させることができる。
【００４０】
そして、混合器１２３から出力された信号をバンドパスフィルタ１２５およびノッチフィルタ１２６に通すことにより、混合器１２３からの出力信号に含まれる不要な周波数成分を減衰させるとともに、図５（ｃ）に示すように、混合器１２３にてダウンコンバートされた与干渉源無線システム１５１による干渉波をさらに抑圧する。
そして、ノッチフィルタ１２６からの出力信号は混合器１２７に送られる。そして、混合器１２７は、ノッチフィルタ１２６からの出力信号と、局部発振器１２８から供給された局発クロックとを混合し、２次ダウンコンバートを行う。そして、２次ダウンコンバートされた信号は、ローパスフィルタ１２９にて不要な高周波成分が減衰された後、ベースバンド部１３０に送られる。ここで、２次ダウンコンバートされた信号をローパスフィルタ１２９に通すことにより、与干渉源無線システム１５１による干渉波をほぼ完全に除去することができる。
【００４１】
そして、ベースバンド部１３０は、表示コントローラ１０１から送られた信号を表示パネル１３２に送ることにより、表示パネル１３２に画像データを表示させることができる。
ここで、与干渉源無線システム１５１にて行われる周波数ホッピングに関する情報を制御部１０２、１３１の双方で共有することにより、与干渉源無線システム１５１の周波数ホッピングに追従しながら、第１筐体部Ｋ１１と第２筐体部Ｋ１２との間で内部無線通信を行うことが可能となる。このため、与干渉源無線システム１５１にて行われる外部無線通信と、１第筐体部Ｋ１１と第２筐体部Ｋ１２との間で行われる内部無線通信との周波数偏差を一定に保つことが可能となり、与干渉源無線システム１５１にて行われる通信を見かけ上単なる狭帯域通信と見なすことができる。従って、第１筐体部Ｋ１１と第２筐体部Ｋ１２との間で行われる内部無線通信の阻止域幅を低減することが可能となり、広帯域通信に対応しつつ、急峻な阻止域特性を得ることができる。この結果、高速で大量のデータを伝送するための長い配線を第１筐体部Ｋ１１と第２筐体部Ｋ１２との間で引き回す必要がなくなり、無線通信端末の小型薄型化および高信頼性化を図ることが可能となるとともに、無線通信端末の携帯性を損なうことなく、無線通信端末の大画面化および多機能化を図ることができる。
【００４２】
なお、ヘテロダイン方式の場合、受信信号は複数のバンドパスフィルタ１２２、１２５やローパスフィルタ１２９を通過するため、ノッチフィルタ１２６を使わなくても、十分な阻止域特性を確保することができる。一方、内部無線通信の帯域幅が数百ＭＨｚと広い場合には、急峻な阻止域特性を実現することは低周波域に行くほど難しく、これらのフィルタ１２２、１２５、１２９の要求性能を緩和する意味でも、ノッチフィルタ１２６を設けることが好ましい。
【００４３】
また、無線通信端末の具体例としては携帯電話を挙げることできる。これにより、携帯電話にクラムシェル構造が採用された場合においても、第１筐体部Ｋ１１と第２筐体部Ｋ１２との間のデータ伝送を無線で安定して行うことが可能となる。このため、携帯電話に搭載される表示パネル１３２の高解像度化および大画面化に対応して、第１筐体部Ｋ１１と第２筐体部Ｋ１２との間でやり取りされるデータ量が増大した場合においても、第１筐体部Ｋ１１と第２筐体部Ｋ１２との間の配線数の増大を抑制することができ、ヒンジＨ１１の構造の複雑化を抑制することが可能となるとともに、実装工程の煩雑化を防止することが可能となる。
【００４４】
また、内部無線通信用アンテナ１０６、１２１を用いた内部無線通信としては、微弱無線またはＵＷＢ無線の近距離無線を用いることができる。これにより、内部無線通信における出力レベルを抑制しつつ、内部無線通信を安定して行うことが可能となる。このため、第１筐体部Ｋ１１と第２筐体部Ｋ１２との間でのデータ伝送量が増大した場合においても、法規制の制約を受けることなく、第１筐体部Ｋ１１と第２筐体部Ｋ１２との間でのデータ伝送を無線で行うことが可能となり、第１筐体部Ｋ１１と第２筐体部Ｋ１２との間の配線数の増大を抑制することができる。
【００４５】
図６は、本発明の第２実施形態に係る無線通信端末の概略構成を示すブロック図である。
図６において、第１筐体部Ｋ２１には、表示コントローラ２０１、制御部２０２、ベースバンド部２０３、ＰＬＬ回路２０４、混合器２０５ａ、２０５ｂ、ＰＬＬ回路２０４から出力された局発クロックの位相をπ／２だけ変化させる移相器２０７および内部無線通信用アンテナ２０６が設けられている。また、第１筐体部Ｋ２１には、与干渉源無線システム２５１および外部無線通信用アンテナ２５２が設けられている。
【００４６】
また、第２筐体部Ｋ２２には、内部無線通信用アンテナ２２１、バンドパスフィルタ２２２、制御部２３１、ＰＬＬ回路２２４、混合器２２３ａ、２２３ｂ、ノッチフィルタ２２５ａ、２２５ｂ、ローパスフィルタ２２６ａ、２２６ｂ、ＰＬＬ回路２２４から出力された局発クロックの位相をπ／２だけ変化させる移相器２３３、ベースバンド部２３０および表示パネル２３２が設けられている。
【００４７】
そして、与干渉源無線システム２５１は、制御部２０２、２３１の双方と有線にて接続されている。ここで、与干渉源無線システム２５１は、与干渉源無線システム２５１で行われる周波数ホッピングに関する情報を制御部２０２、２３１の双方に有線にて供給することができる。また、第１筐体部Ｋ２１および第２筐体部Ｋ２２は、第１筐体部Ｋ２１と第２筐体部Ｋ２２との間の位置関係を変えられるようにヒンジＨ２１を介して連結されている。
【００４８】
そして、与干渉源無線システム２５１にて通信が行われると、与干渉源無線システム２５１における周波数ホッピングに関する情報が制御部２０２、２３１の双方に有線にて送られる。そして、制御部２０２、２３１は、周波数ホッピングに関する情報を受け取ると、与干渉源無線システム２５１から送られたホッピングタイミングに従って、ＰＬＬ制御データをＰＬＬ回路２０４、２２４に供給する。
【００４９】
そして、ＰＬＬ回路２０４は、内部通信の搬送中心周波数ｆTXにホッピング周波数ｆFHを加算した（ｆTX＋ｆFH）の周波数の局発クロックを生成し、混合器２０５ｂおよび移相器２０７に出力する。ここで、移相器２０７は、ＰＬＬ回路２０４から局発クロックが出力されると、ＰＬＬ回路２０４から出力された局発クロックの位相をπ／２だけ変化させ、混合器２０５ａに出力する。
【００５０】
また、ＰＬＬ回路２２４は、内部通信の搬送中心周波数ｆTXにホッピング周波数ｆFHを加算した（ｆTX＋ｆFH）の周波数の局発クロックを生成し、混合器２２５ｂおよび移相器２２７に出力する。ここで、移相器２２７は、ＰＬＬ回路２２４から局発クロックが出力されると、ＰＬＬ回路２２４から出力された局発クロックの位相をπ／２だけ変化させ、混合器２２５ａに出力する。
【００５１】
そして、各混合器２０５ａ、２０５ｂは、ベースバンド部２０３から送られた信号と、移相器２０７およびＰＬＬ回路２０４からそれぞれ供給された局発クロックとを混合し、与干渉源無線システム２５１のホッピングシーケンスに従って搬送周波数をホップさせながら、ベースバンド部２０３から送られた信号を搬送波に重畳させる。そして、ベースバンド部２０３から送られた信号が搬送波に重畳されると、内部無線通信用アンテナ２０４を介して送出される。そして、内部無線通信用アンテナ２０４を介して送信データが送信されると、その送信データが内部無線通信用アンテナ２２２を介して受信される。
【００５２】
そして、内部無線通信用アンテナ２２２を介して受信された受信信号は、バンドパスフィルタ２２２にて不要な周波数成分が減衰された後、混合器２２３ａ、２２３ｂに送られる。
そして、各混合器２２３ａ、２２３ｂは、バンドパスフィルタ２２２から送られた受信信号と、移相器２３３およびＰＬＬ回路２２４からそれぞれ供給された局発クロックとを混合し、与干渉源無線システム２５１のホッピングシーケンスに従って検波周波数をホップさせながら、受信信号のダウンコンバートを行う。そして、混合器２２３ａ、２２３ｂから出力された信号をノッチフィルタ２２５ａ、２２５ｂおよびローパスフィルタ２２６ａ、２２６ｂにそれぞれ通すことにより、混合器２２３ａ、２２３ｂからの出力信号に含まれる不要な周波数成分を減衰させるとともに、混合器２２３にてダウンコンバートされた与干渉源無線システム２５１による干渉波をさらに抑圧する。
【００５３】
そして、ローパスフィルタ２２６ａ、２２６ｂからの出力信号は、ベースバンド部２３０に送られる。そして、ベースバンド部２３０は、表示コントローラ２０１から送られた信号を表示パネル２３２に送ることにより、表示パネル２３２に画像データを表示させることができる。
これにより、ＢＰＳＫ変調の変わりに、ＱＰＳＫ変調を用いた場合においても、第１筐体部Ｋ２１と第２筐体部Ｋ２２との間で行われる内部無線通信の阻止域幅を低減することが可能となり、広帯域通信に対応しつつ、急峻な阻止域特性を得ることができる。
【００５４】
図７は、本発明の第３実施形態に係る無線通信端末の概略構成を示すブロック図である。
図７において、第１筐体部Ｋ３１には、表示コントローラ３０１、制御部３０２、ベースバンド部３０３、混合器３０５および内部無線通信用アンテナ３０６が設けられている。また、第１筐体部Ｋ３１には、与干渉源無線システム３５１および外部無線通信用アンテナ３５２が設けられるとともに、搬送中心周波数ｆTXの局発クロックを生成する局部発振器３５４、搬送中心周波数ｆTXにホッピング周波数ｆFHを加算した（ｆTX＋ｆFH）の周波数の信号を生成するシングルサイドバンド部３５３、シングルサイドバンド部３５３にて生成された信号を分周する分周器３５５、分周器３５５にて分周された信号を元の周波数に変換する逓倍器３５６ａが設けられている。
【００５５】
また、第２筐体部Ｋ３２には、内部無線通信用アンテナ３２１、バンドパスフィルタ３２２、制御部３３１、混合器３２３、バンドパスフィルタ３２５、ノッチフィルタ３２６、ローパスフィルタ３２９、分周器３５５にて分周された信号を元の周波数に変換する逓倍器３５６ｂ、ベースバンド部３３０および表示パネル３３２が設けられている。
そして、分周器３５５は、逓倍器３５６ａ、３５６ｂの双方と有線にて接続されている。そして、与干渉源無線システム３５１は、与干渉源無線システム３５１で使用されるホッピング周波数ｆFHの信号をシングルサイドバンド部３５３に供給することができる。また、第１筐体部Ｋ３１および第２筐体部Ｋ３２は、第１筐体部Ｋ３１と第２筐体部Ｋ３２との間の位置関係を変えられるようにヒンジＨ３１を介して連結されている。
【００５６】
そして、与干渉源無線システム３５１にて通信が行われると、与干渉源無線システム３５１で使用されるホッピング周波数ｆFHの信号がシングルサイドバンド部３５３に送られる。そして、シングルサイドバンド部３５３は、局部発振器３５４から出力された搬送中心周波数ｆTXの局発クロックをホッピング周波数ｆFHの信号と混合し、上側の周波数の信号を抽出することにより、（ｆTX＋ｆFH）の周波数の信号を生成し、分周器３５５に出力する。そして、分周器３５５は、（ｆTX＋ｆFH）の周波数の信号のＮ／Ｍ（Ｎ及びＭは正の整数かつＮ＜Ｍ）分周を行うことにより、（ｆTX＋ｆFH）／（Ｎ／Ｍ）の周波数の信号を生成し、逓倍器３５６ａ、３５６ｂの双方に有線にて送出する。そして、逓倍器３５６ａ、３５６ｂは、（ｆTX＋ｆFH）／（Ｎ／Ｍ）の周波数の信号を受け取ると、（ｆTX＋ｆFH）／（Ｎ／Ｍ）の周波数の信号をＮ／Ｍ逓倍することにより、（ｆTX＋ｆFH）の周波数の信号を生成し、混合器３０５、３２３にそれぞれ出力する。
【００５７】
そして、混合器３０５は、ベースバンド部３０３から送られた信号と、逓倍器３５６ａから供給された（ｆTX＋ｆFH）の周波数の信号とを混合し、与干渉源無線システム３５１のホッピングシーケンスに従って搬送周波数をホップさせながら、ベースバンド部３０３から送られた信号を搬送波に重畳させる。そして、ベースバンド部３０３から送られた信号が搬送波に重畳されると、内部無線通信用アンテナ３０４を介して送出される。そして、内部無線通信用アンテナ３０４を介して送信データが送信されると、その送信データが内部無線通信用アンテナ３２２を介して受信される。
【００５８】
そして、内部無線通信用アンテナ３２２を介して受信された受信信号は、バンドパスフィルタ３２２にて不要な周波数成分が減衰された後、混合器３２３に送られる。
そして、混合器３２３は、バンドパスフィルタ３２２から送られた受信信号と、逓倍器３５６ｂから供給された（ｆTX＋ｆFH）の周波数の信号とを混合し、与干渉源無線システム３５１のホッピングシーケンスに従って検波周波数をホップさせながら、受信信号のダウンコンバートを行う。そして、混合器３２３から出力された信号をノッチフィルタ３２４およびローパスフィルタ３２５に通すことにより、混合器３２３からの出力信号に含まれる不要な周波数成分を減衰させるとともに、混合器３２３にてダウンコンバートされた与干渉源無線システム３５１による干渉波をさらに抑圧する。
【００５９】
そして、ローパスフィルタ３２５からの出力信号はベースバンド部３３０に送られる。そして、ベースバンド部３３０は、表示コントローラ３０１から送られた信号を表示パネル３３２に送ることにより、表示パネル３３２に画像データを表示させることができる。
これにより、与干渉源無線システム３５１におけるホッピング周波数ｆFHを第１筐体部Ｋ３１および第２筐体部Ｋ３２の双方で共有することが可能となるとともに、第１筐体部Ｋ３１と第２筐体部Ｋ３２との間で有線にて伝送される信号の周波数を低下させることができる。このため、より簡易な有線伝送線路を用いることを可能としつつ、急峻な阻止域特性を得ることが可能となるとともに、ホッピング切り替えタイミングでの遅延を低減させることが可能となり、通信スループットの低下を抑制しつつ、無線通信端末の構成の簡易化を図ることができる。
【００６０】
図８は、周波数ホッピングと遅延時間の関係を示す図である。
図８において、与干渉源無線システム３５１における周波数ホッピングに対して、内部無線通信における周波数ホッピングの遅延が発生すると、この遅延時間中は干渉を抑制できないので通信不可となる。ここで、分周器３５５にて分周された信号を有線にて送出した後、各混合器３０５、３２３の前段で逓倍して内部無線通信の搬送波とすることで、ＰＬＬ制御にかかる遅延時間を短縮することができる。このため、与干渉源無線システム３５１における周波数ホッピングへの追従速度を速めることができ、ホッピング切り替えタイミングでの遅延を低減して、通信スループットを向上させることができる。
【００６１】
図９は、本発明の第４実施形態に係る無線通信端末の概略構成を示すブロック図である。
図９において、第１筐体部Ｋ４１には、表示コントローラ４０１、制御部４０２、ベースバンド部４０３、混合器４０５および内部無線通信用アンテナ４０６が設けられている。また、第１筐体部Ｋ４１には、与干渉源無線システム４５１および外部無線通信用アンテナ４５２が設けられるとともに、搬送中心周波数ｆTXの局発クロックを生成する局部発振器４５３ａおよび搬送中心周波数ｆTXにホッピング周波数ｆFHを加算した（ｆTX＋ｆFH）の周波数の信号を生成するシングルサイドバンド部４５４ａが設けられている。
【００６２】
また、第２筐体部Ｋ４２には、内部無線通信用アンテナ４２１、バンドパスフィルタ４２２、制御部４３１、混合器４２３、バンドパスフィルタ４２５、ノッチフィルタ４２６、ローパスフィルタ４２９、搬送中心周波数ｆTXの局発クロックを生成する局部発振器４５３ｂおよび搬送中心周波数ｆTXにホッピング周波数ｆFHを加算した（ｆTX＋ｆFH）の周波数の信号を生成するシングルサイドバンド部４５４ｂ、ベースバンド部４３０および表示パネル４３２が設けられている。
【００６３】
そして、与干渉源無線システム４５１は、シングルサイドバンド部４５４ａ、４５４ｂの双方と有線にて接続されている。そして、与干渉源無線システム４５１は、与干渉源無線システム４５１で使用されるホッピング周波数ｆFHの信号をシングルサイドバンド部４５４ａ、４５４ｂの双方に有線にて供給することができる。また、第１筐体部Ｋ４１および第２筐体部Ｋ４２は、第１筐体部Ｋ４１と第２筐体部Ｋ４２との間の位置関係を変えられるようにヒンジＨ４１を介して連結されている。
【００６４】
そして、与干渉源無線システム４５１にて通信が行われると、与干渉源無線システム４５１で使用されるホッピング周波数ｆFHの信号がシングルサイドバンド部４５４ａ、４５４ｂに送られる。そして、シングルサイドバンド部４５４ａ、４５４ｂは、局部発振器４５３ａ、４５３ｂからそれぞれ出力された搬送中心周波数ｆTXの局発クロックをホッピング周波数ｆFHの信号と混合し、上側の周波数の信号を抽出することにより、（ｆTX＋ｆFH）の周波数の信号をそれぞれ生成し、混合器４０５、４２３にそれぞれ出力する。
【００６５】
そして、混合器４０５は、ベースバンド部４０３から送られた信号と、シングルサイドバンド部４５４ａから供給された（ｆTX＋ｆFH）の周波数の信号とを混合し、与干渉源無線システム４５１のホッピングシーケンスに従って搬送周波数をホップさせながら、ベースバンド部４０３から送られた信号を搬送波に重畳させる。そして、ベースバンド部４０３から送られた信号が搬送波に重畳されると、内部無線通信用アンテナ４０４を介して送出される。そして、内部無線通信用アンテナ４０４を介して送信データが送信されると、その送信データが内部無線通信用アンテナ４２２を介して受信される。
【００６６】
そして、内部無線通信用アンテナ４２２を介して受信された受信信号は、バンドパスフィルタ４２２にて不要な周波数成分が減衰された後、混合器４２３に送られる。そして、混合器４２３は、バンドパスフィルタ４２２から送られた受信信号と、シングルサイドバンド部４５４ｂから供給された（ｆTX＋ｆFH）の周波数の信号とを混合し、与干渉源無線システム４５１のホッピングシーケンスに従って検波周波数をホップさせながら、受信信号のダウンコンバートを行う。そして、混合器４２３から出力された信号をノッチフィルタ４２４およびローパスフィルタ４２５に通すことにより、混合器４２３からの出力信号に含まれる不要な周波数成分を減衰させるとともに、混合器４２３にてダウンコンバートされた与干渉源無線システム４５１による干渉波をさらに抑圧する。
【００６７】
そして、ローパスフィルタ４２５からの出力信号はベースバンド部４３０に送られる。そして、ベースバンド部４３０は、表示コントローラ４０１から送られた信号を表示パネル４３２に送ることにより、表示パネル４３２に画像データを表示させることができる。
これにより、与干渉源無線システム３５１におけるホッピング周波数を第１筐体部Ｋ３１および第２筐体部Ｋ３２に有線で送ってからアップコンバートを行うことが可能となり、第１筐体部Ｋ３１と第２筐体部Ｋ３２との間で有線にて伝送される信号の周波数を低下させることができる。このため、より簡易な有線伝送線路を用いることを可能としつつ、急峻な阻止域特性を得ることが可能となり、無線通信端末の構成の簡易化を図りつつ、外部無線通信と内部無線通信との間の干渉を低減させることができる。
【図面の簡単な説明】
【００６８】
【図１】本発明の無線通信制御方法が適用されるクラムシェル型携帯電話を開いたときの状態を示す斜視図。
【図２】本発明の無線通信制御方法が適用されるクラムシェル型携帯電話を閉じたときの状態を示す斜視図。
【図３】本発明の無線通信制御方法が適用される回転式携帯電話の外観を示す斜視図。
【図４】本発明の第１実施形態に係る無線通信端末の概略構成を示すブロック図。
【図５】図４の無線通信端末の周波数選択方法を示す図。
【図６】本発明の第２実施形態に係る無線通信端末の概略構成を示すブロック図。
【図７】本発明の第３実施形態に係る無線通信端末の概略構成を示すブロック図。
【図８】周波数ホッピングと遅延時間の関係を示す図。
【図９】本発明の第４実施形態に係る無線通信端末の概略構成を示すブロック図。
【図１０】信号強度とフィルタ特性を示す図。
【符号の説明】
【００６９】
１、２１、Ｋ１１、Ｋ２１、Ｋ３１、Ｋ４１  第１筐体部、２、２２  、Ｋ１２、Ｋ２２、Ｋ３２、Ｋ４２  第２筐体部、３、２３、Ｈ１１、Ｈ２１、Ｈ３１、Ｈ４１  ヒンジ、４、２４  操作ボタン、５、２５  マイク、６、２６、１５２、２５２、３５２、４５２  外部無線通信用アンテナ、７、１０、２７、３０、１０６、１２１、２０６、２２１、３０６、３２１、４０６、４２１  内部無線通信用アンテナ、８、１１、２８  表示体、９、２９  スピーカ、１２  撮像素子、１０１、２０１、３０１、４０１  表示コントローラ、１０２、１３１、２０２、２３１、３０２、３３１、４０２、４３１  制御部、１０３、１３０、２０３、２３０、３０３、３３０、４０３、４３０  ベースバンド部、１０４、１２４、２０４、２２４  ＰＬＬ回路、１０５、１２３、１２７、２０５ａ、２０５ｂ、２２３ａ、２２３ｂ、３０５、３２３、４０５、４２３  混合器、１２２、１２５、２２２、３２２、４２２  バンドパスフィルタ、１２６、２２５ａ、２２５ｂ、３２４、４２４  ノッチフィルタ、１２８、３５４、４５３ａ、４５３ｂ  局部発振器、１２９、２２６ａ、２２６ｂ、３２５、４２５  ローパスフィルタ、１３２、２３２、３３２  表示パネル、１５１、２５１、３５１、４５１  与干渉源無線システム、２０７、２３３  移相器、３５３、４５４ａ、４５４ｂ  シングルサイドバンド部、３５５  分周器、３５６ａ、３５６ｂ  逓倍器
【図１】
2006050375.tif 000003
【図２】
2006050375.tif 000004
【図３】
2006050375.tif 000005
【図４】
2006050375.tif 000006
【図５】
2006050375.tif 000007
【図６】
2006050375.tif 000008
【図７】
2006050375.tif 000009
【図８】
2006050375.tif 000010
【図９】
2006050375.tif 000011
【図１０】
2006050375.tif 000012